(57)【要約】エネルギー消費を改良したマイクロコントローラのための回路構成が説明されている。この改良は、信号の評価中、マイクロコントローラ（２）が動作クロックのみに接続されていることにより達成される。スイッチング手段（５）がマイクロコントローラ（２）とクロックジェネレータ（６）の間に置かれ、制御入力に「論理１」信号が入力されているとき動作クロックを通過させる。この「論理１」信号は、例えば、リモートコントロール信号を受信しているとき、フリップフロップ（４、７）をセットすることにより生成される。マイクロコントローラで走っているプログラムは所定のブレークポイントで停止するので、過渡時間はかからない。
2006505849.tif 000002
【特許請求の範囲】
【請求項１】
出力信号を生成するモジュールに入力が直接的または間接的に接続され、動作周波数の供給のためにクロックジェネレータに接続することができるマイクロコントローラの回路構成であって、
前記回路構成は前記クロックジェネレータと前記マイクロコントローラ間のスイッチング手段を有し、
前記スイッチング手段の信号入力は前記クロックジェネレータに接続され、前記スイッチング手段の制御入力は出力信号を生成するモジュールに直接的または間接的に接続され、前記出力は前記マイクロコントローラに接続されていることを特徴とする回路構成。
【請求項２】
請求項１に記載の回路構成であって、
アナライザが前記出力信号を生成するモジュールと前記スイッチング手段の間に配置されていることを特徴とする回路構成。
【請求項３】
請求項１または２に記載の回路構成であって、
前記モジュールの出力信号は直接的または間接的にSRフリップフロップのセット入力に入力され、前記SRフリップフロップの出力は前記スイッチング手段の制御入力に接続され、前記リセット入力は直接的または間接的に前記マイクロコントローラの出力に接続されていることを特徴とする回路構成。
【請求項４】
請求項１または２に記載の回路構成であって、
第１のJKフリップフロップが前記出力信号生成モジュールと前記スイッチング手段の間に配置され、第２のJKフリップフロップが前記マイクロコントローラと前記第１のJKフリップフロップのK入力の間に配置されていることを特徴とする回路構成。
【請求項５】
請求項１ないし４いずれか一項に記載の回路構成であって、
前記クロックジェネレータに時間カウンタが接続されていることを特徴とする回路構成。
【請求項６】
請求項１ないし５いずれか一項に記載の回路構成であって、
前記クロックジェネレータは低周波数水晶発振子であることを特徴とする回路構成。
【請求項７】
請求項１ないし６いずれか一項に記載の回路構成であって、
前記スイッチング手段はANDゲートであることを特徴とする回路構成。
【請求項８】
符号化リモートコントロール信号を受信する受信モジュールを有するリモートコントロールレシーバであって、
前記受信モジュールは、復号のためにマイクロコントローラに直接的または間接的に接続され、前記マイクロコントローラは動作周波数の供給のためクロックジェネレータに接続でき、
前記リモートコントロールレシーバは信号入力と制御入力を有するスイッチング手段を前記クロックジェネレータおよび前記マイクロコントローラ間に有し、
前記スイッチング手段の信号入力は前記クロックジェネレータに接続され、前記制御入力は直接的または間接的に前記リモートコントロールモジュールに接続され、前記出力は前記マイクロコントローラに接続されていることを特徴とするリモートコントロールレシーバ。
【請求項９】
動作周波数の供給のためクロックジェネレータに接続できるマイクロコントローラの動作方法であって、
前記マイクロコントローラのプログラムは自分がスイッチオフする（スリープモードに入る）タイミングを決定し、前記出力信号は前記マイクロコントローラのプログラムを再アクティブ化することを特徴とする方法。
【請求項１０】
符号化リモートコントロール信号を受信する受信モジュールを有するリモートコントロールレシーバの動作方法であって、
前記受信モジュールは、復号のためにマイクロコントローラに直接的または間接的に接続され、前記マイクロコントローラは動作周波数の供給のためクロックジェネレータに接続でき、
前記受信モジュールが入力信号を検知し、それにより前記マイクロコントローラへの出力信号を生成したとき、前記クロックジェネレータが前記マイクロコントローラに接続され、
前記出力信号は、前記受信モジュールの出力信号を受信したときフリップフロップ出力信号を生成するように設計されたフリップフロップに付加的に入力され、前記フリップフロップ出力信号はスイッチング手段の制御入力に入力され、それにより前記スイッチング手段と透過接続し、前記マイクロコントローラに動作クロックを供給することを特徴とする方法。
【請求項１１】
請求項１０に記載の方法であって、
より高い周波数の付加的なアクティブ化可能なクロックジェネレータが、通常の周波数に達するとすぐに、マイクロコントローラのクロックジェネレータとして透過接続されることを特徴とする方法。
【発明の詳細な説明】
【技術分野】
【０００１】
本発明は、電池駆動の（携帯式）装置および／またはコンセントから電力を供給された装置にあるマイクロコントローラの回路構成に関する。該マイクロコントローラは、エネルギーを節約している間も動作していなければならない。
【０００２】
本発明は、リモートコントロール信号の無線受信のための、エネルギー消費を改良しなければならないリモートコントロールレシーバにも関する。リモートコントロールレシーバはスタンバイ状態でもバッテリを放電し、バッテリの使用時間が短くなったり、コンセントからのエネルギー消費により動作コストが高くなったりする。
【背景技術】
【０００３】
リモートコントロール信号の無線受信システムは、RF、超音波、赤外線技術により実現することができる。待機動作中、すなわち受信待ち状態のリモートコントロールレシーバにより必要とされる電流は、信号レシーバと信号デコーダによりほとんど使われる。この電流消費により、最小エネルギー消費が制限され、またはバッテリーの寿命が短くなる。受信と復号は、一般的に、制御信号を無線受信する回路構成の２つの構成要素である受信モジュールとマイクロコントローラとにより実行される。受信モジュールはマイクロコントローラに直接接続されてもよい。受信モジュールの信号がインターラプトをかけている間も、このマイクロコントローラは継続的に動作する。２つの信号が処理される間の期間にマイクロコントローラがスリープモードになったとき、電流消費は数マイクロアンペアの範囲に減少する。しかし、受信モジュールの起動信号によるウェイクアップの場合、処理動作も遅れてしまう。割り当てられたリモートコントロールトランスミッタの（符号化）リモートコントロール信号を受信すると、起動信号が生成される。結果として、リモートコントロールトランスミッタが最初に送信したコードを完全に捉えることはできない。マイクロコントローラの電流消費は、主に、動作周波数およびこの動作周波数でスイッチしなければならない要素の数による。例えば、IR受信ダイオードが、アンプ、フィルタ、ゲインコントロールループとともに受信モジュールに組み込まれている。出力において、この受信モジュールは、マイクロコントローラや復号構成要素に直接接続できる２値信号を供給する。標準的な実施形態において、上記の受信モジュールの典型的な電流消費は5mAまでであり、最近の電流節約バージョンでは0.2mA程度まで下がっている。ここで説明した状態では、マイクロコントローラは受信コンポーネントに入力信号があるときのみアクティブになる。
【０００４】
キャリア信号変調データの無線受信においてエネルギーを節約する方法が特許文献１に記載されている。この方法では、受信モジュールの回路コンポーネントは断続的に電力を供給されるグループと、中断なく供給されるグループとに分けられる。この文献では一般的なマイクロコントローラや復号動作については説明しない。
【０００５】
特許文献２は、再起動されたときにサプライスイッチを介してコンセントに再接続される電気動作装置のリモートコントロールに関する。サプライスイッチは、受信セクションの制御信号による評価回路により起動される。バッテリー駆動の回路構成は、インターバルスイッチを間接的に制御する。そのインターバルスイッチはクロックジェネレータにより制御され、レシーバがスタンバイ状態にある間、受信セクションを電源回路に断続的に接続する。クロックジェネレータは、受信セクションが評価回路により検知されたスタート信号の少なくとも一部を受信すると、その後、制御信号を送信する間に、インターバルスイッチが閉じられるという意味で駆動される。スタート信号に続いて送信された制御信号は、従来の方法で受信され、動作させる装置をサプライスイッチを介してコンセントに接続することにより、その装置を制御するために使われる。この文献に記載されているリモートコントロールは、受信されたリモートコントロール信号が所与のスタート信号のコードを有さなければならないという欠点を有している。
【特許文献１】独国特許公報第10054529A1号
【特許文献２】欧州特許公報第0663733A1号
【発明の開示】
【発明が解決しようとする課題】
【０００６】
本発明の目的は、すでにアクティブである、またはスリープモードにあるマイクロコントローラの回路構成であって、スリープモードの間にエネルギー消費が少ない回路構成を提供することである。本発明のさらに別の目的は、上記のマイクロコントローラを動作させる方法を提供することである。さらに、本発明の目的は、スタンバイモードにおいてエネルギー消費が少なく、従来のリモートコントロールコードに使用できるリモートコントロールレシーバを提供することである。
【課題を解決するための手段】
【０００７】
本発明によれば、上記目的は、出力信号を生成するモジュールに入力が直接的または間接的に接続され、動作周波数の供給のためにクロックジェネレータに接続することができるマイクロコントローラの回路構成により達成される。前記回路構成は、前記クロックジェネレータと前記マイクロコントローラ間のスイッチング手段を有し、前記スイッチング手段の信号入力は前記クロックジェネレータに接続され、前記スイッチング手段の制御入力は出力信号を生成するモジュールに直接的または間接的に接続され、前記出力は前記マイクロコントローラに接続されている。
【０００８】
クロックジェネレータがマイクロコントローラに接続されているときはいつも、このマイクロコントローラは動作周波数を取得し連続的に動作する。マイクロコントローラは、パワーサプライ電圧から供給されるエネルギーを消費する。クロックジェネレータとマイクロコントローラとの間にスイッチング手段を配置することにより、クロックジェネレータをスイッチオフすることなくマイクロコントローラを動作周波数から切り離すことができる。クロックジェネレータ、例えばオシレータは、スイッチオンされたとき、ある程度の過渡時間を要する。本発明による回路構成においては、クロックジェネレータ自体はスイッチオフされないので、信号処理動作の遅延を防ぐことができる。
【０００９】
アナライザは、前記出力信号を生成するモジュールと前記スイッチング手段の間に配置され、短い干渉パルスによるスイッチングのエラーを防止することができる。アナライザは受信した信号が有効な信号か干渉かどうかを検知する。この目的のため、最も簡単な場合には、例えば、２つの抵抗器、１つのダイオード、１つのキャパシタ、１つのシュミットトリガコンポーネントよりなる構成が使われる。出力信号は第１の抵抗器を介してキャパシタを充電し、短い遅れ時間の後、シュミットトリガーがスイッチされる。信号S_outがこの短い遅れ時間中にインターラプトされると、キャパシタは２つの抵抗器を介して急激に放電される。アナライザの設計は、出力信号の使用に依存する。
【００１０】
マイクロコントローラを再アクティブ化させる出力信号をバッファすることは有利である。これを実現するため、本発明の一実施形態によると、モジュールの出力信号がSRフリップフロップのセット入力に直接的または間接的に接続され、SRフリップフロップの出力はスイッチング手段の制御入力に接続されている。リセット入力がマイクロコントローラの出力に直接的または間接的に接続されており、SRフリップフロップはプログラム制御でリセットされる。この構成により、マイクロコントローラの非アクティブ化の後、第１の制御信号を受信するとき、フリップフロップの出力は「論理１」となる。この「論理１」信号はスイッチング手段を準透過接続し、クロックジェネレータの信号をマイクロコントローラに接続する。その結果、マイクロコントローラは、リモートコントロール信号を受信するとすぐに、この信号を正しく処理するために動作周波数を取得する。マイクロコントローラ自体がリセット信号を生成し、SRフリップフロップのリセット入力に入力し、フリップフロップの出力信号を「論理０」にセットする。その時、スイッチング手段はブロックされ、マイクロコントローラは動作周波数から切り離される。クロックはマイクロプロセッサ自体が制御する所定のタイミングで非アクティブ化される。クロックの非アクティブ化はマイクロコントローラプログラムの所定のポイントで最初実行され、クロックを作用させた後のプログラムの継続が正しいポイントで再開できる。
【００１１】
本発明のさらに別の実施形態において、出力信号はJKフリップフロップによりバッファされる。本発明によるこの回路構成において、第１のJKフリップフロップが出力信号の生成モジュールとスイッチング手段の間に配置され、第２のJKフリップフロップがマイクロコントローラと第１のJKフリップフロップのK入力の間に配置されている。ウェイクアップ信号として使用される出力信号とマイクロコントローラ自体で生成されるリセット信号の両方が最初バッファされ、次に正確なクロックと透過接続される。短すぎるパルスや偽のクロックパルスは、マイクロコントローラの動作に支障を来すことがあるが、第１のJKフリップフロップにより防止される。その結果、クロックは常に次の完全な期間でスイッチオンまたはオフされる。クロックは、ストップ信号がセットされると、第２のJKフリップフロップにより、常に次の１サイクルで正確にスイッチオフされ、プロセッサは一定の休止位置をとる時間があり、ストップ信号を再度リセットする。
【００１２】
マイクロコントローラに対する、本発明による回路構成のさらに別の利点は、カウントしているクロックをクロックジェネレータと接続した（間にディバイダを入れることも可能である）時間カウンタとしても使用できることである。リモートコントロールレシーバは、スイッチオフ状態ではコンセントから切り離されているが、クロックは継続していなければならない装置で使用することもできる。マイクロコントローラと時間カウンターは回路構成の一部を共有し、コスト、エネルギー、スペースを節約することができる。
【００１３】
クロックジェネレータとしてオシレータや３０〜３００kHzの低周波数クオーツジェネレータを使用すると有利である。その理由は、低周波数とすることによって、回路構成を非常に簡単で安価にできるからである。クロックと同期させることにより、好ましくないスイッチングポイントを避けることができる。低周波数のオシレータは比較的小さな電流しか必要としないので、クロックジェネレータはインターラプションなしに継続して動作するが、回路構成全体のエネルギー消費を最小化することができる。本発明による回路構成をリモートコントロールレシーバで使用すると、この比較的低い周波数でもリモートコントロール信号を復号するのに十分である。
【００１４】
本発明の非常に簡単で安価な変形例において、回路構成のスイッチング手段はANDゲートである。
【００１５】
リモートコントロールレシーバについて、本発明の目的は、符号化リモートコントロール信号を受信する受信モジュールを有するリモートコントロールレシーバであって、
前記受信モジュールは、復号のためにマイクロコントローラに直接的または間接的に接続され、前記マイクロコントローラは動作周波数の供給のためクロックジェネレータに接続できるものにより達成される。前記リモートコントロールレシーバは信号入力と制御入力を有するスイッチング手段を前記クロックジェネレータおよび前記マイクロコントローラ間に有し、前記スイッチング手段の信号入力は前記クロックジェネレータに接続され、前記制御入力は直接的または間接的に前記リモートコントロールモジュールに接続され、前記出力は前記マイクロコントローラに接続されている。リモートコントロール信号や干渉性二次光（例えば蛍光灯や電子エネルギーセービングランプ）を受信すると、受信モジュールは出力信号を生成し、その出力信号は復号のためにマイクロコントローラに入力されるが、また再アクティブ化のためスイッチング手段にも入力される。受信モジュールにより生成される出力信号は、データキャリアのみではなく、本発明によれば、アクティブ化信号であもある。何故なら、その出力信号はマイクロコントローラのアクティブ化（ウェークアップ）に利用されるからである。しかし、ウェークアップ信号を二次光と間違える可能性を排除するため、ウェークアップ信号には例えば、形状や最小レベルなどの所与の条件が課されるかもしれない。この目的のため適当なアナライザが用いられてもよい。
【００１６】
マイクロコントローラは、受信モジュールがリモートコントロール信号を検知すると、再アクティブ化される。このために、スイッチング手段の制御入力は、好ましくは、受信モジュールの出力に直接的または間接的に接続される。リモートコントロール信号を受信すると、受信モジュール派出力信号を供給し、その出力信号はマイクロコントローラおよびスイッチング手段の両方に入力される。スイッチング手段の信号入力および制御入力両方が「論理１」に接続されると、クロックジェネレータのクロックは透過接続され、マイクロコントローラはそれにより再アクティブ化される。クロックジェネレータ自体はスイッチオフされておらず、マイクロコントローラはプログラムの正確に分かる位置で停止しているので、過渡時間なしでマイクロコントローラはすぐに正確に動作できる。一方、受信モジュールの出力信号は完全に処理される。
【００１７】
本発明によると、本発明の目的は、動作周波数の供給のためクロックジェネレータに接続できるマイクロコントローラの動作方法であって、前記マイクロコントローラのプログラムは自分がスイッチオフする（スリープモードに入る）タイミングを決定し、前記出力信号は前記マイクロコントローラのプログラムを再アクティブ化することを特徴とする方法によっても達成することができる。スタンバイモードへの変更は、マイクロコントローラのソフトウェアと回路構成のハードウェアによる再アクティブ化によって、すなわち入力モジュールの出力信号が出力されたときに、実現できる。
【００１８】
本発明の好ましい実施形態は、符号化リモートコントロール信号を受信する受信モジュールを有するリモートコントロールレシーバの動作方法であって、前記受信モジュールは、復号のためにマイクロコントローラに直接的または間接的に接続され、前記マイクロコントローラは動作周波数の供給のためクロックジェネレータに接続できる動作方法である。前記受信モジュールが入力信号を検知し、それにより前記マイクロコントローラへの出力信号を生成したとき、前記クロックジェネレータが前記マイクロコントローラに接続される。前記出力信号は、前記受信モジュールの出力信号を受信したときフリップフロップ出力信号を生成するように設計されたフリップフロップに付加的に入力され、前記フリップフロップ出力信号はスイッチング手段の制御入力に入力され、それにより前記スイッチング手段と透過接続し、前記マイクロコントローラに動作クロックを供給する。リモートコントロールレシーバは、例えば、バッテリー駆動（コンセントから切り離されている）ためスタンバイ中にエネルギー消費が小さくないといけない電子装置や、コンセントに接続されているがために電流を節約しなければならない電子装置の１つであってもよい。
【００１９】
本発明の一変形例において、より高い周波数の付加的なアクティブ化可能なクロックジェネレータが、通常の周波数に達するとすぐに、マイクロコントローラのクロックジェネレータとして透過接続される。第２のクロックジェネレータの名目的周波数に達すると、例えば、計数回路と第１のクロックジェネレータによりRCオシレータが決まる。必要ないときは、エネルギーを節約するため、付加的クロックジェネレータはスイッチオフされる。受信モジュールがリモートコントロール信号を検知し、そのときマイクロコントローラに対して出力信号を生成したとき、その付加的ジェネレータは再度スタートされる。低周波数を有する第１のクロックジェネレータは、ちょうどよくマイクロコントローラに接続され、受信信号を評価するときに情報がロスしない。高いクロック周波数が最小の遅延で透過接続される。
【００２０】
本発明によるリモートコントロールレシーバは、最小のコンポーネント数でさらにエネルギーを節約することができる。上記評価には時間遅れがないので、情報のロスもない。
【００２１】
本発明によるリモートコントロールレシーバのマイクロコントローラは、自分の非アクティブ化（スリープモード）を制御する。プログラム中の所定の箇所において、マイクロコントローラは、フリップフロップのリセット信号を生成して、スイッチング手段がマイクロコントローラからクロックジェネレータを切り離す。このように、本発明はエネルギーを節約する方法に関し、この方法によりスリープモードへの移行はマイクロコントローラでプログラム可能であり、対応するデバイスにより生成された出力信号によりマイクロコントローラがアクティブ化される。
【００２２】
本発明の実施形態では、マイクロコントローラが非アクティブ化（スリープモード）され、エネルギー消費が減少するが、クロックジェネレータは動作し続けるので、マイクロコントローラを再アクティブ化（ウェークアップ）するときにスイッチングが遅れてデータが失わせることはない。
【００２３】
以下に説明する実施形態を参照して本発明の上記その他の態様を説明すれば明らかとなるであろう。
【発明を実施するための最良の形態】
【００２４】
図１は、本発明によるリモートコントロールレシーバの第１の変形例を示すブロック図である。ANDゲートはスイッチング手段５として使用される。リモートコントロール信号は受信モジュール１により受信され、出力信号S_outに変換される。出力信号S_outは復号のためにマイクロコントローラ２に入力され、また短い干渉パルスにより回路に不具合が起こるのを防ぐアナライザ３に入力される。アナライザ３の出力はSRフリップフロップ４のS入力に接続され、リモートコントロール信号を受信したとき、Q出力がセットされる。Q出力はANDゲート５の制御入力に接続され、そのANDゲート５の信号入力はクロックジェネレータ６に接続されている。クロックジェネレータ６は連続して動作し、SRフリップフロップ４がセットされたとき、マイクロコントローラ２に接続される。マイクロコントローラ２がSRフリップフロップ４のR入力との接続を介してそのR入力に「論理１」信号を入力したとき、クロックジェネレータ６がマイクロコントローラ２から切り離される。その結果、SRフリップフロップ４のQ出力は「論理０」にセットされ、ANDゲート５はディスエーブルされる。受信モジュール１とマイクロコントローラ２に行く電源電圧Ubが示されている。
【００２５】
図２は、リモートコントローラレシーバの第１の変形例の信号図である。受信モジュール１の出力信号S_outは、複数のパルスから構成された符号化信号であり、アナライザ３により連続的な「論理１」信号S_ALに変換される。クロックジェネレータ６は連続的に出力信号S_TGを生成する。動作クロックATは、フリップフロップ４の出力信号S_FFが「論理１」のときのみ、マイクロコントローラ２に入力される。このマイクロコントローラは、受信モジュール１の出力信号S_outを評価する。評価が終了し、さらに別の信号がないとき、マイクロコントローラ２はプログラム中の所定のブレークポイントまで動作する。このブレークポイントでSRフリップフロップ４のリセット信号が生成され、クロックがまたマイクロコントローラ２から切り離される。
【００２６】
図３は、本発明によるリモートコントロールレシーバの第２の変形例を示すブロック図である。このリモートコントロールレシーバは、クロックパルスが短すぎたり等しいことによる、マイクロコントローラ２の評価における干渉を防止する。本変形例において、アナライザ３の出力信号S_ALは、第１のJKフリップフロップ７のJ入力に入力される。第１のフリップフロップ７のクロック入力は、クロックジェネレータ６に接続されている。リモートコントロール信号が受信されると、アナライザ３の出力信号S_ALは「論理１」となる。クロック入力に負のクロックパルスがあるとすぐに、Q出力は「論理１」にセットされる。この出力信号S_FF1はANDゲート５に入力され、動作クロックATは、リモートコントロール信号の始めから、第１の完全な期間にマイクロコントローラ２に入力される。受信モジュール１の出力信号S_outが復号され、さらに別の出力信号がないとき、マイクロコントローラ２は、非アクティブ化される前の最後から２番目のクロックサイクルの間に、第２のJKフリップフロップ８のJ入力にストップ信号を入力する。この「論理１」信号は、Q出力においてクロックジェネレータ６の次のクロックのエッジの立ち下がりにともない、リセット信号Reset_FF1として第１のJKフリップフロップ７のK入力に入力される。ストップ信号は、動作クロックATの正のエッジでスタートし、動作クロックATの１周期をきっちりとカバーする。動作クロックATの２つの連続するパルスのうち、第１の負のエッジはリセット信号Reset_FF1を生成するために使用され、第２の負のエッジは第１のJKフリップフロップ７をリセットするために使用される。その結果、ANDゲート５はクロックジェネレータ６からマイクロコントローラ２を切り離し、第２のJKフリップフロップ８は、次のクロックサイクルでQ出力を介して第１のJKフリップフロップによりリセットされる。この実施例において、時間カウンタ９がクロックジェネレータ６により付加的に動作される。時間カウンタ９とクロックジェネレータ６の間にはディバイダ１０があり、クロックジェネレータ６の周波数を時間カウンタ９が必要とする周波数に変換する。復号デバイスと時間カウンタ９両方がクロックジェネレータを使用しているので、エネルギーとスペースを節約することができる。時間カウンタをハードウェアで実施すると、装置が再度スイッチオンされたとき、クロック時間または経過時間を回復することが可能である。そのため、この機能はマイクロコントローラなしで完全に満たすことができる。
【００２７】
図４は、本発明によるリモートコントロールレシーバの第２の変形例の信号図である。受信モジュール１が入力信号を検知すると、その受信モジュール１は適当に符号化された出力信号S_outを生成する。アナライザ３は符号化された信号を連続した「論理１」信号S_ALに変換する。クロックジェネレータ６は、クロックに同期した出力信号S_TGを連続的に生成する。この信号は、アナライザ３の出力信号S_ALが「論理１」であり、次のクロックの負のエッジにおいてのみマイクロコントローラ２に動作クロックATとして入力される。マイクロコントローラ２は、プログラムにより生成されたストップ信号が第２のJKフリップフロップ８に接続され、フリップフロップ７のK入力にリセット信号Reset_FF1が入力されているとき、立ち下がりエッジを有するクロックで、動作クロックATから切り離される。ストップ信号はこのときすでにリセットされているように、マイクロコントローラのプログラムが実装される。次のクロックサイクルにおいて、バッファされたストップ信号Reset_FF1も再度リセットされる。
【００２８】
図５はアナライザの一実施例を示す図である。出力信号S_outの入力後、ダイオードDと第２の抵抗器R2と並列に第１の抵抗器R1が配置されている。出力信号S_ALはシュミットトリガーにより生成される。出力S_outは第１の抵抗器R1を介してキャパシタCを充電し、シュミットトリガーが短い遅れの後スイッチされる。この短い遅れ時間の間に出力信号S_outはインターラプトされ、キャパシタCが抵抗器R1、R2両方を介して急激に放電される。
【図面の簡単な説明】
【００２９】
【図１】本発明によるリモートコントロールレシーバの第１の変形例を示すブロック図である。
【図２】第１の変形例の信号図である。
【図３】本発明によるリモートコントロールレシーバの第２の変形例を示すブロック図である。
【図４】第２の変形例の信号図である。
【図５】アナライザの一実施例を示す図である。
【図１】
2006505849.tif 000003
【図２】
2006505849.tif 000004
【図３】
2006505849.tif 000005
【図４】
2006505849.tif 000006
【図５】
2006505849.tif 000007
【国際調査報告】
2006505849.tif 000008
2006505849.tif 000009
2006505849.tif 000010